(57)【要約】【課題】暖房の停止後から暖房を再開するまでの間に電源の供給が絶たれても、ユーザに不快感を与えるおそれを低減することができる暖房装置の提供。【解決手段】電気ストーブ１０は、暖房レベルの設定を受け付けるレベル受付部２９ｂと、運転モードを受け付けるモード受付部２９ａと、出力が可変なヒータ２１と、ヒータ２１の周囲温度を検出する温度センサと、制御部と、を備える。運転モードには、通常暖房モードと、急速暖房モードと、が含まれる。急速暖房モードは、暖房開始時に、周囲温度を急速に上げる運転モードである。制御部は、モード受付部２９ａが受け付けた運転モードに応じて、ヒータ２１の出力を制御する。そして、制御部は、急速暖房モードにおいて、温度センサによって検出される周囲温度値が暖房レベル毎に決定されている温度閾値に達したときに、運転モードを急速暖房モードから通常暖房モードに移行する。【選択図】図１
2015230116.tif 000002
【特許請求の範囲】
【請求項１】
出力の可変なヒータ（２１）と、
暖房レベルの設定を受け付けるレベル受付部（２９ｂ）と、
通常暖房モードと、暖房開始時に前記ヒータの周囲温度を急速に上げる急速暖房モードとを含む運転モード、を受け付けるモード受付部（２９ａ）と、
前記周囲温度を検出する温度センサ（９０）と、
前記モード受付部が受け付けた前記運転モードに応じて、前記ヒータの出力を制御する制御部（６０）と、
を備え、
前記制御部は、前記急速暖房モードにおいて、前記温度センサによって検出される周囲温度値が前記暖房レベル毎に決定されている温度閾値に達したときに、前記運転モードを前記急速暖房モードから前記通常暖房モードに移行する、
暖房装置（１０）。
【請求項２】
前記急速暖房モードでは、前記急速暖房モードを実行する時間の基準となる急速暖房基準時間が、前記暖房レベル毎に予め決定されており、
前記制御部は、前記急速暖房モードにおいて、前記温度センサによって検出される周囲温度値と前記急速暖房基準時間とに基づいて、前記急速暖房モードを終了するタイミングを決定する、
請求項１に記載の暖房装置。
【請求項３】
前記制御部は、前記急速暖房モードを開始してから前記急速暖房基準時間が経過する前に、前記温度センサによって検出される周囲温度値が前記温度閾値に達した場合には、前記急速暖房モードを終了する、
請求項２に記載の暖房装置。
【請求項４】
前記制御部は、前記急速暖房モードを開始してから前記急速暖房基準時間が経過した後であっても、前記温度センサによって検出される周囲温度値が前記温度閾値に達していない場合には、前記急速暖房モードを継続する、
請求項２又は３に記載の暖房装置。
【請求項５】
前記ヒータを内部に収納するケーシング（２４）、を備え、
前記温度センサは、前記ケーシング内の温度を検出する、
請求項１から４のいずれか１項に記載の暖房装置。
【請求項６】
前記レベル受付部及び前記モード受付部を前記ヒータの熱から保護するための遮蔽板（２８）、
を更に備え、
前記遮蔽板は、第１遮蔽板（２８ａ）と、前記第１遮蔽板よりも前記ヒータ側に配置される第２遮蔽板（２８ｂ）と、を含み、
前記温度センサは、前記第１遮蔽板と前記第２遮蔽板との間に配置されている、
請求項１から５のいずれか１項に記載の暖房装置。
【発明の詳細な説明】
【技術分野】
【０００１】
本発明は、ヒータを備える暖房装置に関する。
【背景技術】
【０００２】
従来の暖房装置には、運転モードとして、暖房開始時に温度を急速に上昇させる急速暖房モードを有するものがある。このような暖房装置において、急速暖房モードの実行時間が一定の時間で固定されている場合、ヒータの発停状況によっては、ユーザが設定した暖房レベルに応じた目標温度を過剰に超えてしまうことがあり、ユーザに不快感を与えるという問題がある。
【０００３】
これに対する方策として、例えば、特許文献１（特開２０１１−８０６８１号公報）に開示されている暖房装置では、暖房の停止後から暖房を再開するまでの時間をタイマーで計測し、この計測値に応じて急速暖房モードの実行時間を調整している。
【発明の概要】
【発明が解決しようとする課題】
【０００４】
ところで、タイマーに時間を計測させるためには、タイマーに電源が供給されている必要がある。このため、特許文献１に開示されている暖房装置のように急速暖房モードの実行時間の調整にタイマーが使用されている場合には、暖房の停止後から暖房を再開するまでの間に停電又はコンセントが抜かれる等の理由で暖房装置への電源の供給が絶たれると、タイマーの作動が停止したり、タイマーの計測値がリセットされてしまったりする。そうすると、急速暖房モードの実行時間の調整を行うことができなくなるため、ユーザに不快感を与えるおそれがある。
【０００５】
そこで、本発明の課題は、暖房の停止後から暖房を再開するまでの間に電源の供給が絶たれても、ユーザに不快感を与えるおそれを低減することができる暖房装置を提供することにある。
【課題を解決するための手段】
【０００６】
本発明の第１観点に係る暖房装置は、レベル受付部と、モード受付部と、ヒータと、温度センサと、制御部と、を備える。レベル受付部は、暖房レベルの設定を受け付ける。モード受付部は、運転モードを受け付ける。運転モードには、通常暖房モードと、急速暖房モードと、が含まれる。急速暖房モードは、暖房開始時に、ヒータの周囲温度を急速に上げる運転モードである。ヒータは、出力が可変である。温度センサは、ヒータの周囲温度を検出する。制御部は、モード受付部が受け付けた運転モードに応じて、ヒータの出力を制御する。そして、制御部は、急速暖房モードにおいて、温度センサによって検出される周囲温度値が暖房レベル毎に決定されている温度閾値に達したときに、運転モードを急速暖房モードから通常暖房モードに移行する。
【０００７】
本発明の第１観点に係る暖房装置では、温度センサによって検出される周囲温度値が暖房レベルに応じた温度閾値に達したときに、運転モードが急速暖房モードから通常暖房モードに移行される。このため、ヒータの周囲温度が暖房レベルに応じた目標温度を過剰に超えることなく、急速暖房モードを終了することができる。また、この暖房装置では、温度センサによって検出される周囲温度値に基づいて急速暖房モードから通常暖房モードに運転モードが移行されるため、急速暖房モードを終了するタイミングを決定するにあたり、暖房停止中の電源の供給の有無は関係しない。
【０００８】
これによって、暖房の停止後から暖房を再開するまでの間に電源の供給が絶たれても、ユーザに不快感を与えるおそれを低減することができる。
【０００９】
本発明の第２観点に係る暖房装置は、第１観点の暖房装置において、急速暖房モードでは、急速暖房基準時間が、暖房レベル毎に予め決定されている。急速暖房基準時間とは、急速暖房モードを実行する時間の基準となる時間である。そして、制御部は、急速暖房モードにおいて、温度センサによって検出される周囲温度値と急速暖房基準時間とに基づいて、急速暖房モードを終了するタイミングを決定する。
【００１０】
ところで、ヒータの周囲温度を温度センサによって検出する場合、気流状況等によっては周囲温度が安定せず、温度センサによって検出される周囲温度値と実際の周囲温度値との間に差が生じてしまうことがある。このような場合に、温度センサによって検出される周囲温度値のみに基づいて急速暖房モードを終了するタイミングが決定される場合には、急速暖房モードが適切なタイミングで終了できないおそれがある。
【００１１】
本発明の第２観点に係る暖房装置では、温度センサによって検出される周囲温度値と急速暖房基準時間とに基づいて急速暖房モードを終了するタイミングが決定されるため、温度センサによって検出される周囲温度値のみに基づいて急速暖房モードを終了するタイミングが決定されるよりも、急速暖房モードが適切なタイミングで終了できないおそれを低減することができる。
【００１２】
本発明の第３観点に係る暖房装置は、第２観点の暖房装置において、制御部は、急速暖房モードを開始してから急速暖房基準時間が経過する前に、温度センサによって検出される周囲温度値が前記温度閾値に達した場合には、急速暖房モードを終了する。
【００１３】
ここで、急速暖房基準時間が経過するまで急速暖房モードが実行される場合、ヒータの周囲温度が暖房レベルに応じた目標温度に達しているにも拘わらず、急速暖房モードが終了しないことがある。そうすると、ヒータの周囲温度が暖房レベルに応じた目標温度を過剰に超えてしまうおそれがある。
【００１４】
本発明の第３観点に係る暖房装置では、急速暖房基準時間が経過する前に、温度センサによって検出される周囲温度値が暖房レベルに応じた温度閾値に達した場合には、急速暖房モードが終了される。このため、ヒータの周囲温度が暖房レベルに応じた目標温度に達した場合には、急速暖房モードが終了することになる。したがって、この暖房装置では、ヒータの周囲温度が暖房レベルに応じた目標温度を過剰に超えることを防止することができる。
【００１５】
本発明の第４観点に係る暖房装置は、第２観点又は第３観点の暖房装置において、制御部は、急速暖房モードを開始してから急速暖房基準時間が経過した後であって、温度センサによって検出される周囲温度値が前記温度閾値に達していない場合には、急速暖房モードを継続する。
【００１６】
ここで、急速暖房基準時間が経過するまで急速暖房モードが実行される場合、ヒータの周囲温度が暖房レベルに応じた目標温度に達していなくても、急速暖房モードが終了してしまうことがある。そうすると、ヒータの周囲温度が暖房レベルに応じた目標温度に達するまでに必要な時間が長くなることがある。
【００１７】
本発明の第４観点に係る暖房装置では、急速暖房基準時間が経過しても、ヒータの周囲温度が暖房レベルに応じた目標温度に達していない場合には、急速暖房モードが継続されるため、ヒータの周囲温度が暖房レベルに応じた目標温度に達するまでの時間を縮めることができる。
【００１８】
本発明の第５観点に係る暖房装置は、第１観点から第４観点のいずれかの暖房装置において、ヒータを内部に収納するケーシングを備える。そして、温度センサは、ケーシング内の温度を検出する。この暖房装置では、ケーシング内の温度に基づいて、運転モードを急速暖房モードから通常暖房モードに移行するタイミングが決定される。
【００１９】
本発明の第６観点に係る暖房装置は、第１観点から第５観点のいずれかの暖房装置において、レベル受付部及びモード受付部をヒータの熱から保護するための遮蔽板を備える。遮蔽板は、第１遮蔽板と、第１遮蔽板よりもヒータ側に配置される第２遮蔽板とを含む。そして、温度センサは、第１遮蔽板と第２遮蔽板との間に配置されている。この暖房装置では、温度センサが第１遮蔽板と第２遮蔽板との間に配置されているため、温度センサが高温になり過ぎるおそれを低減することができる。
【００２０】
これによって、温度センサの寿命が短くなるおそれを低減することができる。
【発明の効果】
【００２１】
本発明の第１観点に係る暖房装置では、暖房の停止後から暖房を再開するまでの間に電源の供給が絶たれても、ユーザに不快感を与えるおそれを低減することができる。
【００２２】
本発明の第２観点に係る暖房装置では、急速暖房モードが適切なタイミングで終了できないおそれを低減することができる。
【００２３】
本発明の第３観点に係る暖房装置では、ヒータの周囲温度が暖房レベルに応じた目標温度を過剰に超えることを防止することができる。
【００２４】
本発明の第４観点に係る暖房装置では、ヒータの周囲温度が暖房レベルに応じた目標温度に達するまでの時間を縮めることができる。
【００２５】
本発明の第５観点に係る暖房装置では、ケーシング内の温度に基づいて、運転モードを急速暖房モードから通常暖房モードに移行するタイミングが決定される。
【００２６】
本発明の第６観点に係る暖房装置では、温度センサの寿命が短くなるおそれを低減することができる。
【図面の簡単な説明】
【００２７】
【図１】本発明の一実施形態に係る電気ストーブの斜視図。
【図２】本発明の一実施形態に係る電気ストーブの正面図。
【図３】本発明の一実施形態に係る電気ストーブの正面図。
【図４】本発明の一実施形態に係る電気ストーブの側面図。
【図５】本発明の一実施形態に係る電気ストーブの背面図。
【図６】本体部の概念図。
【図７】第１遮蔽板が取り除かれた状態の本体部の斜視図。
【図８】反射板が取り除かれた状態の本体部の斜視図。
【図９】電気ストーブの備える制御部の制御ブロック図。
【図１０】急速暖房モード実行時の制御部による制御動作を示すフローチャート。
【図１１】通常暖房モード又は急速暖房モードを実行したときに、暖房を開始してから所定の暖房レベルに応じた目標温度閾値に達するまでの検出温度値の変化を示す図。
【発明を実施するための形態】
【００２８】
以下、本発明の一実施形態に係る暖房装置としての電気ストーブ１０について図を用いて説明する。なお、以下に説明する実施形態は、本発明の具体例であって、本発明の技術的範囲を限定するものではない。
【００２９】
（１）全体構成
図１は、電気ストーブ１０を正面側から見た斜視図である。図２及び図３は、電気ストーブ１０の正面図である。図４は、電気ストーブ１０の側面図である。図５は、電気ストーブ１０の背面図である。電気ストーブ１０は、本体部２０と、本体部２０とは別体に設けられているベース部３０と、を備える。本体部２０は、ヒータ２１を有する。ベース部３０は、床面Ｆに設置される。また、電気ストーブ１０は首振り機能を備えており、本体部２０はベース部３０に対して回動可能に支持されている。さらに、本体部２０は、図２及び図３に示すように、後述する支柱３２の上部を回動軸として本体部２０を回転させることで、本体部２０の延びる方向を変更することができるように構成されている。
【００３０】
（２）詳細構成
（２−１）ベース部３０
ベース部３０は、台座３１と支柱３２とを備えている。台座３１は、床面Ｆに設置される部分であり、箱形の形状を有している。また、台座３１の背面側には電源コード３３が取り付けられている。
【００３１】
支柱３２は、台座３１の上面３１ａから上方に延びる柱状の部材である。支柱３２の下部は、台座３１に回動可能に取り付けられている。支柱３２の上部の前面側には、本体部２０の背面側に設けられたブラケット２３が取り付けられている（図４参照）。また、支柱３２は、図４に示されているように、側面視において、上部の前面側が下部に比べて背面側に後退した形状を持っている。そして、支柱３２の前面側に本体部２０が取り付けられることで、支柱３２と本体部２０とを合わせた部材の重心が台座３１に位置するように構成されている。このような構成によって、電気ストーブ１０が安定して直立することが可能になっている。
【００３２】
また、台座３１の内部には、電源用プリント配線基板を収納する電装品箱（図示せず）が配設されている。電源用プリント配線基板には電源コード３３が接続されており、電源コード３３から電源用プリント配線基板に商用電源が供給される。また、台座３１の内部には、首振り用のモータ３５（図９参照）が収納されており、このモータ３５への電力の供給は電源用プリント配線基板から行われる。
【００３３】
（２−２）本体部２０
図６は、本体部２０の備える各種機器の位置関係を説明するための概念図である。図７は、第１遮蔽板２８ａが取り除かれた状態の本体部２０の斜視図である。図８は、反射板２２が取り除かれた状態の本体部２０の斜視図である。
【００３４】
本体部２０は、本体ケーシング２４と、ガード２５と、出力可変なヒータ２１と、反射板２２と、ブラケット２３と、操作部２６と、を備える。
【００３５】
本体ケーシング２４は、ヒータ２１及び反射板２２等を収納する。ガード２５は、多数の細い金属棒を組み合わせてできており、本体ケーシング２４の前面側に装着されている。また、本体ケーシング２４の背面側には、本体ケーシング２４内の熱を外部に放出するために多数の開口部２４ｂが形成されている。そして、本体ケーシング２４の前面側に装着されているガード２５の金属棒の隙間を透して熱が前面側に向けて放射されて、電気ストーブ１０による暖房が行なわれる。さらに、反射板２２の方向を上に傾けたり下に傾けたりするために、本体部２０はブラケット２３を介して支柱３２の延びる方向に対して角度を変更することができるように構成されている。
【００３６】
操作部２６は、本体ケーシング２４の天板２４ａに配設されている。操作部２６には、電気ストーブ１０の操作に関する設定を受け付ける操作受付部２９等が取り付けられている。なお、本実施形態の操作受付部２９には、運転モードを受け付けるモード受付部２９ａと、暖房レベルの設定を受け付けるレベル受付部２９ｂと、が含まれる。
【００３７】
また、図６に示すように、操作部２６の下部には、操作用プリント配線基板８０及び遮蔽板２８が配置されている。操作用プリント配線基板８０には、ＬＥＤランプ等が実装されている表示用プリント配線基板８１等が電気的に接続されている。そして、操作受付部２９等によって操作用プリント配線基板８０に対して指示された操作指令に応じた動作の一部は、直接操作部２６で実行される。例えば、操作用プリント配線基板８０から表示用プリント配線基板８１に信号が伝達され、表示用プリント配線基板８１がランプを点灯させることにより、表示部２７に表示が行われる。
【００３８】
また、遮蔽板２８は、第１遮蔽板２８ａと第１遮蔽板２８ａよりもヒータ２１側に配置される第２遮蔽板２８ｂとを有する。そして、操作用プリント配線基板８０及び表示用プリント配線基板８１は、天板２４ａと第１遮蔽板２８ａとで囲まれた空間内に収納されている。さらに、第１遮蔽板２８ａよりもヒータ２１側に第２遮蔽板２８ｂがあることによって、操作用プリント配線基板８０及び表示用プリント配線基板８１に対するヒータ２１に起因する熱の影響が防がれている。
【００３９】
そして、本実施形態の本体部２０は、本体ケーシング２４内の温度（ヒータ２１の周囲温度）を検出する温度センサ９０と、室内温度を検出する室内温度センサ９１と、を有する。温度センサ９０は、第１温度センサ９０ａと第２温度センサ９０ｂとを含む。第１温度センサ９０ａは、図６及び図７に示すように、第１遮蔽板２８ａと第２遮蔽板２８ｂとの間の空間内に配設されている。第２温度センサ９０ｂは、本体ケーシング２４と反射板２２との間の空間内に配設されている（図８参照）。室内温度センサ９１は、図４及び図５に示すように、ヒータ２１の熱の影響を受けにくいように、本体ケーシング２４の背面に配設されている。
【００４０】
（２−３）制御部６０
図９は、電気ストーブ１０の備える制御部６０の制御ブロック図である。制御部６０は、操作部２６において受け付けた操作指示に応じて、ヒータ２１の出力及び首振り用のモータ３５の動作等を制御する。例えば、ユーザによってレベル受付部２９ｂが操作されて暖房レベルが設定されることで、設定された暖房レベルに応じた電気信号が制御部６０に送信される。これを受けて、制御部６０は、送信された電気信号に応じて、ヒータ２１の出力を制御する。なお、本実施形態の暖房レベルは１０段階あり、各暖房レベルに応じた目標温度閾値が予め決定されている。また、暖房レベル毎に決定されている目標温度閾値は、記憶部（図示せず）に記憶されている。
【００４１】
また、制御部６０は、モード受付部２９ａが受け付けた運転モードに応じて、ヒータ２１の出力を制御する。運転モードには、通常暖房モードと、急速暖房モードとが含まれる。
【００４２】
通常暖房モードは、第１温度センサ９０ａ又は第２温度センサ９０ｂによって検出された温度値がレベル受付部２９ｂで受け付けられることによって設定された暖房レベルに応じた目標温度閾値となるように、ヒータ２１に対して通電制御を行う。なお、通常暖房モードでは、第１温度センサ９０ａ又は第２温度センサ９０ｂによって検出される温度値が、設定された暖房レベルに応じた目標温度閾値を超えないように、該目標温度閾値に応じてヒータ２１の出力が制限される。例えば、暖房レベルが１０段階中最小の１段階目に相当する「１」に設定されている場合にはヒータの出力が所定の第１出力を超えないように出力が制限され、暖房レベルが１０段階中下から２つ目の段階に相当する「２」に設定されている場合には、ヒータの出力が所定の第１出力よりも大きい所定の第２出力を超えないように制限される。さらに、通常暖房モードでは、第１温度センサ９０ａ又は第２温度センサ９０ｂによって検出される温度値が、設定された暖房レベルに応じた目標温度閾値を超えないように、ヒータ２１の発停が繰り返される。
【００４３】
急速暖房モードは暖房開始時に実行されるモードであって、ユーザは、モード受付部２９ａを操作することで急速暖房モードを実行させるか否かを設定することができる。急速暖房モードでは、第１温度センサ９０ａ又は第２温度センサ９０ｂによって検出される温度値が、設定された暖房レベルに応じた目標温度閾値まで急速に上昇するように、ヒータ２１に対して通電制御が行われる。具体的には、急速暖房モードでは、設定された暖房レベルに関係なく、ヒータ２１が高出力で制御される。なお、本実施形態の急速暖房モードでは、ヒータ２１の出力が最大出力（暖房レベルが１０段階中最大の１０段階目に相当する「１０」に設定されている場合と同じヒータ２１の出力）となるようにヒータ２１に対して通電制御が行われる。例えば、暖房レベルが「１」に設定されている場合であっても、暖房レベルが「２」に設定されている場合であっても、ヒータの出力が最大出力となるように制御される。また、本実施形態では、急速暖房モードが実行されている間は、ヒータ２１は停止されないものとする。
【００４４】
さらに、急速暖房モードを実行する時間の基準となる急速暖房基準時間が暖房レベル毎に予め決定されており、急速暖房基準時間は記憶部（図示せず）に記憶されている。急速暖房基準時間は、暖房開始時からヒータ２１を最大出力で制御した場合に、温度センサ９０によって検出される温度値が設定された暖房レベルに応じた目標温度閾値に達するまでに必要とされる時間であって、シミュレーションや机上計算、実験等によって決定されている。そして、制御部６０は、急速暖房モードにおいて、温度センサ９０によって検出される温度値、及び急速暖房基準時間に基づいて、急速暖房モードを終了するタイミングを決定する。具体的には、制御部６０は、急速暖房モードを開始してから急速暖房基準時間が経過する前に、温度センサ９０によって検出される温度値が設定された暖房レベルに応じた所定の目標温度閾値に達した場合には、急速暖房モードを終了する。また、本実施形態では、制御部６０は、急速暖房モードを開始してから急速暖房基準時間が経過するまでに、温度センサ９０によって検出される温度値が設定された暖房レベルに応じた所定の目標温度閾値に達していない場合には、急速暖房基準時間が経過したときに急速暖房モードを終了する。そして、制御部６０は、急速暖房モードを終了すると、運転モードを急速暖房モードから通常暖房モードに移行する。
【００４５】
なお、本実施形態では、所定時間毎（例えば、１分毎）に、検出された温度値が温度センサ９０から制御部６０に送信され、制御部６０は、温度センサ９０から温度値が送信される毎に、送信された温度値が所定の目標温度閾値以上であるか否かの判定を行うものとする。また、本実施形態の温度センサ９０には第１温度センサ９０ａ及び第２温度センサ９０ｂが含まれるところ、急速暖房モードにおいては、第１温度センサ９０ａ及び第２温度センサ９０ｂのうち上方にある温度センサによって検出される温度値が採用される。すなわち、本体部２０の長手方向が床面Ｆに対して交差する方向にある状態（図２に示す状態）で暖房が行われている場合には、急速暖房モードにおいて第１温度センサ９０ａによって検出される温度値が採用される。一方で、本体部２０の長手方向が床面Ｆに対して平行な方向にある状態（図３に示す状態）で暖房が行われている場合には、急速暖房モードにおいて第２温度センサ９０ｂによって検出される温度値が採用される。次に、具体的な急速暖房モードについて、フローチャートを参照しながら説明する。
【００４６】
（３）急速暖房モード
図１０は、急速暖房モード実行時の制御部６０による制御動作を示すフローチャートである。制御部６０は、電気ストーブ１０の電源がオンされたときに、レベル受付部２９ｂ及びモード受付部２９ａから送信される電気信号を受信する。そして、ステップＳ１において、モード受付部２９ａから送信される電気信号が急速暖房モードに関する電気信号である場合には、制御部６０は急速暖房モードの実行を開始するとともに、ステップＳ２に進む。一方で、ステップＳ１において、モード受付部２９ａから送信される電気信号が急速暖房モードに関する電気信号でない場合には、制御部６０は通常暖房モードの実行を開始する。
【００４７】
ステップＳ２において、制御部６０は、レベル受付部２９ｂから送信される電気信号に基づいて、暖房レベルの設定を判定する。そして、制御部６０は、判定した暖房レベルに応じた目標温度閾値及び急速暖房基準時間を記憶部から取得するとともに、ステップＳ３へ進む。
【００４８】
ステップＳ３において、制御部６０は、ヒータ２１の出力が最大出力となるように、ヒータ２１に対して通電制御を行う。そして、ステップＳ４へ進む。
【００４９】
ステップＳ４では、第１温度センサ９０ａ又は第２温度センサ９０ｂによって検出された温度値が、設定された暖房レベルに応じた目標温度閾値以上であるか否かが判定される。そして、ステップＳ４において、第１温度センサ９０ａ又は第２温度センサ９０ｂによって検出された温度値が設定された暖房レベルに応じた目標温度閾値以上であると判定された場合には、ステップＳ６に進む。一方で、ステップＳ４において、第１温度センサ９０ａ又は第２温度センサ９０ｂによって検出された温度値が設定された暖房レベルに応じた目標温度閾値以上でないと判定された場合には、ステップＳ５に進む。
【００５０】
ステップＳ５において、制御部６０は、急速暖房モードを開始してから急速暖房基準時間が経過したか否かを判定する。そして、ステップＳ５において、急速暖房基準時間が経過していると判定された場合には、ステップＳ６に進む。一方で、ステップＳ５において、急速暖房基準時間が経過していないと判定された場合には、ステップＳ４へ戻る。
【００５１】
ステップＳ６において、制御部６０は、急速暖房モードを終了し、運転モードを急速暖房モードから通常暖房モードに移行する。具体的には、制御部６０は、最大出力となるように制御していたヒータ２１の出力を、第１温度センサ９０ａ又は第２温度センサ９０ｂによって検出された温度値が設定された暖房レベルに応じた目標温度閾値で維持されるように制限する制御を行う。
【００５２】
（３）特徴
（３−１）
ここで、急速暖房モードの実行時間を調整する際にタイマー等の電源の供給が必要な部品が使用されている場合、暖房の停止後から暖房を再開するまでの間に電気ストーブへの電源の供給が絶たれると、急速暖房モードの実行時間の調整を行うことができず、ユーザに不快感を与えるおそれがある。また、急速暖房モードの実行時間の調整ができないと、室内温度によっては、温度センサ９０によって検出される温度が設定された暖房レベルに応じた所定の目標温度を超えてしまう可能性が高くなる。
【００５３】
本実施形態では、温度センサ９０によって検出される温度値に基づいて運転モードが急速暖房モードから通常暖房モードに移行されるため、急速暖房モードを終了するタイミングを決定するにあたり、暖房停止中の電源の供給の有無は関係しない。
【００５４】
これによって、暖房の停止後から暖房を再開するまでの間に電源の供給が絶たれても、ユーザに不快感を与えるおそれを低減することができている。
【００５５】
また、本実施形態では、急速暖房モードにおいて、温度センサ９０によって検出される温度値が設定された暖房レベルに応じた目標温度閾値に達したときに、運転モードが急速暖房モードから通常暖房モードに移行される。このため、温度センサ９０によって検出される温度が設定された暖房レベルに応じた所定の目標温度を過剰に超えることなく、急速暖房モードを終了することができる。
【００５６】
（３−２）
ここで、温度センサ９０によって検出される温度は、気流状況等によっては安定しない場合がある。この場合、温度センサ９０によって検出される温度と実際の温度との間に差が生じてしまうことがある。そうすると、温度センサ９０によって検出される温度値のみに基づいて急速暖房モードを終了するタイミングが決定されると、急速暖房モードが適切なタイミングで終了できないおそれがある。
【００５７】
本実施形態では、温度センサ９０によって検出される温度値、及び急速暖房基準時間に基づいて、急速暖房モードを終了するタイミングが決定される。このため、温度センサ９０によって検出される温度値のみに基づいて急速暖房モードを終了するタイミングが決定されるよりも、急速暖房モードが適切なタイミングで終了できないおそれを低減することができている。
【００５８】
（３−３）
ここで、急速暖房基準時間が経過するまで急速暖房モードが実行される場合、室内温度によっては、急速暖房基準時間が経過する前に、温度センサ９０によって検出される温度値が設定された暖房レベルに応じた目標温度閾値に達することがある。しかしながら、急速暖房基準時間が経過していないために急速暖房モードが終了せず、温度センサ９０によって検出される温度が設定された暖房レベルに応じた目標温度を過剰に超えてしまうおそれがある。
【００５９】
本実施形態では、急速暖房モードを開始してから急速暖房基準時間が経過する前に、温度センサ９０によって検出される温度値が設定された暖房レベルに応じた目標温度閾値に達した場合には、急速暖房モードが終了される。このため、温度センサ９０によって検出される温度が設定された暖房レベルに応じた目標温度に達した場合には、急速暖房モードが終了することになる。したがって、温度センサ９０によって検出される温度が設定された暖房レベルに応じた目標温度を過剰に超えることを防止することができている。
【００６０】
（３−４）
本実施形態の温度センサ９０は、本体ケーシング２４内の温度を検出する。このため、本体ケーシング２４内の温度に基づいて、運転モードを急速暖房モードから通常暖房モードに移行するタイミングを決定することができる。
【００６１】
ところで、急速暖房基準時間が経過するまで急速暖房モードが実行されるような場合には、暖房の停止後すぐに暖房が再開されると、温度センサ９０によって検出される温度が設定された暖房レベルに応じた目標温度を超えてしまう可能性が高くなる。
【００６２】
本実施形態では、本体ケーシング２４内の温度に基づいて急速暖房モードが終了されるため、暖房の停止後すぐに暖房が再開された場合であっても、温度センサ９０によって検出される温度が設定された暖房レベルに応じた目標温度を超えるおそれを低減することができている。
【００６３】
（３−５）
本実施形態の電気ストーブ１０は、操作受付部２９等をヒータ２１の熱から保護するための遮蔽板２８を備えている。そして、第１温度センサ９０ａが、第１遮蔽板２８ａと第１遮蔽板２８ａよりもヒータ２１側に配置される第２遮蔽板２８ｂとの間の空間内に配設されている。このため、第１温度センサ９０ａが高温になり過ぎるおそれを低減することができる。
【００６４】
これによって、第１温度センサ９０ａの寿命が短くなるおそれを防止できている。
【００６５】
（３−６）
図１１は、通常暖房モード又は急速暖房モードを実行したときに、暖房を開始してから暖房レベル「２」に応じた目標温度閾値に達するまでの検出温度値の変化、及び暖房を開始してから暖房レベル「８」に応じた目標温度閾値に達するまでの検出温度値の変化を示す図である。なお、図１１において、実線は、急速暖房モードにおける検出温度値を示しており、破線は、通常暖房モードにおける検出温度値を示している。
【００６６】
本実施形態の通常暖房モードでは、温度センサ９０によって検出される温度値が設定された暖房レベルに応じた目標温度閾値を超えないように、各目標温度閾値に応じてヒータ２１の出力が制限される。一方で、急速暖房モードでは、ヒータ２１の出力が最大出力となるように、ヒータ２１に対して通電制御が行われる。このため、電気ストーブ１０において暖房が開始される際に、通常暖房モードが実行される場合と急速暖房モードが実行される場合とで、温度センサ９０によって検出される温度値が設定された暖房レベルに応じた目標温度閾値に達するまでにかかる時間が異なってくる。具体的には、暖房レベルが「２」に設定されている場合には、図１１に示すように、急速暖房モードが実行された場合に温度センサ９０によって検出される温度値が暖房レベル「２」に応じた目標温度閾値に達するまでにかかる時間ｔＦ１は、通常暖房モードが実行された場合に温度センサ９０によって検出される温度値が暖房レベル「２」に応じた目標温度閾値に達するまでにかかる時間ｔＮ１よりも短くなる。また、暖房レベルが「８」に設定されている場合には、図１１に示すように、急速暖房モードが実行された場合に温度センサ９０によって検出される温度値が暖房レベル「８」に応じた目標温度閾値に達するまでにかかる時間ｔＦ２は、通常暖房モードが実行された場合に温度センサ９０によって検出される温度値が暖房レベル「８」に応じた目標温度閾値に達するまでにかかる時間ｔＮ２よりも短くなる。言い換えると、暖房を開始する際に、通常暖房モードが実行される場合には、急速暖房モードが実行される場合よりも、温度センサ９０によって検出される温度値が設定された暖房レベルに応じた目標温度閾値に達するまでにかかる時間が長くなる。特に、暖房レベルが低いレベルに設定されている場合に通常暖房モードが実行されると、ヒータ２１の出力が低いため、温度センサ９０によって検出される温度値が設定された暖房レベルに応じた目標温度閾値に達するまでに要する時間が長くなる。このため、温度センサ９０によって検出される温度値が設定された暖房レベルに応じた目標温度閾値に達するまでの時間を短縮するための急速暖房モードは、暖房レベルが低いレベルに設定されている場合に特に有効である。
【００６７】
（４）変形例
（４−１）変形例Ａ
上記実施形態では、急速暖房モードを開始してから急速暖房基準時間が経過するまでに、温度センサ９０によって検出される温度値が設定された暖房レベルに応じた目標温度閾値に達していない場合には、急速暖房基準時間が経過したときに急速暖房モードが終了されている。
【００６８】
ここで、急速暖房基準時間が経過するまで急速暖房モードが実行されるような場合、室内温度によっては、温度センサ９０によって検出される温度が設定された暖房レベルに応じた目標温度閾値に達しないことがある。しかしながら、温度センサ９０によって検出される温度が設定された暖房レベルに応じた目標温度閾値に達していなくても急速暖房モードが終了してしまうため、結果として、温度センサ９０によって検出される温度が設定された暖房レベルに応じた目標温度に達するまでに必要な時間が長くなることがある。
【００６９】
そこで、上記実施形態に加えて、急速暖房モードを開始してから急速暖房基準時間が経過した後であっても、温度センサ９０によって検出される温度値が暖房レベルに応じた目標温度閾値に達していない場合には、急速暖房モードが終了されずに継続されてもよい。これにより、温度センサ９０によって検出される温度が設定された暖房レベルに応じた目標温度に達するまでの時間を短縮することができる。
【産業上の利用可能性】
【００７０】
本発明は、暖房の停止後から暖房を再開するまでの間に電源の供給が絶たれてもユーザに不快感を与えるおそれを低減することができる暖房装置に係るものであり、ヒータを備える暖房装置への適用が有効である。
【符号の説明】
【００７１】
１０      電気ストーブ（暖房装置）
２１      ヒータ
２４      本体ケーシング（ケーシング）
２８      遮蔽板
２８ａ    第１遮蔽板
２８ｂ    第２遮蔽板
２９ａ    モード受付部
２９ｂ    レベル受付部
６０      制御部
９０      温度センサ
【先行技術文献】
【特許文献】
【００７２】
【特許文献１】特開２０１１−８０６８１号公報
【図１】
2015230116.tif 000003
【図２】
2015230116.tif 000004
【図３】
2015230116.tif 000005
【図４】
2015230116.tif 000006
【図５】
2015230116.tif 000007
【図６】
2015230116.tif 000008
【図７】
2015230116.tif 000009
【図８】
2015230116.tif 000010
【図９】
2015230116.tif 000011
【図１０】
2015230116.tif 000012
【図１１】
2015230116.tif 000013